(57)【要約】【課題】水道蛇口に取り付けて上水とオゾン水の流出の切り替えが容易にできるローター式オゾン水放出装置を提供すること。【解決手段】水道蛇口１に固定されるシリンダー形本体１０の内面に挿入され端部の切替レバー２１の操作で９０度回動するとリミットスイッチが入ってオゾン生成器３０で生成され送り管３２を通って導入されたオゾンが上水と混合してオゾン水を本体下方に放出するローター２０を備えてなる。【選択図】　　　　　図１
2004084445.tif 000002
【特許請求の範囲】
【請求項１】
水道蛇口に固定されるシリンダー形本体の内面に挿入され、端部の切替レバーの操作で９０度回動するとリミットスイッチが入ってオゾン生成器で生成され送り管を通って導入されたオゾンが上水と混合してオゾン水を本体下方に放出するローターを備えたローター式オゾン水放出装置であって、前記ローターが、本体の上水導入部と合致する流水部及び該流水部と直交する小孔を有し、上水導入部と流水部が合致すると上水が流水部を通って本体下面の流出口から吐出され、上水導入部と小孔が合致すると小孔を通って流水部に入った上水と本体のオゾン流入口から送り込まれたオゾンが混合してオゾン水が本体下面の流出口から吐出され、同時に本体に設けたオゾン放出灯が点灯するローター式オゾン水放出装置。
【発明の詳細な説明】
【０００１】
【発明の属する技術分野】
本発明は、水道蛇口に取り付けて上水とオゾン水のワンタッチ切り替えができるローター式オゾン水放出装置に関する。
【０００２】
【従来の技術】
浄水器のように、器具本体を水道蛇口に取り付けてオゾン水を本体から放出するオゾン水放出装置がある。この装置は、オゾンの４大効果といわれる殺菌、脱臭、漂白、鮮度保持に着目し、一般家庭の流し台水栓に取り付けることで家庭内の除菌を手軽に行えるようにしたものである。オゾンは近年になって各種分野に活用されるようになったが、オゾン生成器が比較的大型で費用がかゝるために未だ家庭用・個人用に広く普及されるには至っていない。前記したオゾン放出装置はその点で注目に値するものであり、蛇口をひねってレバーを操作すると所定時間（４０秒程度）オゾン水が放出され、それ以上経過すると水量との関係で上水が吐出される仕組みとなっている。
【０００３】
【発明が解決しようとする課題】
上記の従来技術は、レバーを操作することで器具本体に設けたオゾン放出灯が点灯することでオゾン水放出を確認できるが、所定時間経過するとオゾン処理能力に限界があって自動的に上水となってしまうのでその都度レバー操作をしなければならない不便があり、またオゾン生成器が器具本体と一体で重量があるため蛇口に取付けると蛇口及び装置が前傾状になってしまうという不具合があった。
【０００４】
本発明は、通常の浄水器のようにレバーの操作でオゾン水を常時流すこともできれば上水を流すこともでき、またオゾン生成器を装置本体とは別に設けることで装置に負担をかけることがなく、全体の軽量化が実現できて長期間使用しても蛇口と装置が前傾状とならず安心して使用ができるローター式オゾン水放出装置を提供することを意図している。
【０００５】
【課題を解決するための手段】
すなわち本発明は、水道蛇口１に固定されるシリンダー形本体１０の内面に挿入され、端部の切替レバー２１の操作で９０度回動するとリミットスイッチ１５が入ってオゾン生成器３０で生成され送り管３２を通って導入されたオゾンが上水と混合してオゾン水を本体下方に放出するローター２０を備えたローター式オゾン水放出装置であって、前記ローター２０が、本体１０の上水導入部１６と合致する流水部２４及び該流水部と直交する小孔２５を有し、上水導入部１６と流水部２４が合致すると上水が流水部２４を通って本体１０下面の流出口１２から吐出され、上水導入部１６と小孔２５が合致すると小孔２５を通って流水部２４に入った上水と、本体１０のオゾン流入口１３から送り込まれたオゾンが混合してオゾン水が本体１０下面の流出口１２から吐出され、同時に本体１０に設けたオゾン放出灯１４が点灯することを技術手段とする。
【０００６】
【発明の実施の形態】
以下図面に基づき本発明を説明すると、図１において１は基部に開閉栓２を持つ蛇口で、先端屈曲部１ａに取付キャップ１１を介してシリンダー形本体１０を取り付け、該本体１０に、端部を切替レバー２１としたローター２０が挿入されるもので、本体１０の下面に流出キャップ１２’が配置されている。
【０００７】
３０は前記本体１とは別に設けたオゾン生成器で、コード３１はＡＣ１００Ｖの電源差込口４０に接続され、本体１０の近傍に逆止弁３３を有する、オゾン生成器３０より出たオゾン送り管３２が蛇口１に沿って設けられ、インシュロック３４で固定されて本体１０のオゾン流入口１３と接続している。本体１０にはオゾン放出灯１４があってオゾン放出時に点灯する。３５はＤＣ１２Ｖのオゾン生成器の渡り配線で、オゾン送り管３２とともにインシュロック３４で蛇口１に固定され、ローター２０の切替レバー２１と連動してオゾンの放出信号をオゾン生成器３０に送信する。すなわち切替レバー２１をＯＮ方向に９０度回動すると、後記するリミットスイッチ１５が投入されて渡り配線３５から信号をオゾン生成器３０に送り、信号をキャッチすることで生成されたオゾンがオゾン送り管３２を通って本体のオゾン流入口１３から本体１０内に送り込まれ、蛇口１から本体１０内に入った上水に混合溶解して本体１０の流出口１２からオゾン水となって吐出され、同時にオゾン放出灯１４が点灯してオゾン水を放出していることを知らしめる。蛇口１は上記の図以外にも各種構造のものがあるが、本体１０の取り付け、オゾン送り管３２を蛇口１にインシュロック３４で渡り配線３５とともに取り付ける方法など殆ど異なることがなく、蛇口の形態によって本発明の目的効果が変わることはない。
【０００８】
図２はシリンダー形本体１０とローター２０を分解し、また図３の断面図は、本体１０とローター２０の組み立て状態を示したもので、本体１０の上面には、取付キャップ１１と螺合する上水導入部１６の凸ねじ１７が、また本体１０の下面には流出キャップ１２’を被せる流出口１２があり、本体１０内に入った上水がそのまゝ又はオゾン水となって流出口１２から吐出される。本体１０内に挿入されるローター２０は、本体奥端の欠円形溝１０’に係合する回転ストッパー２２を先端に形成し、その手前に流水部２４及び該流水部２４と直交する小孔２５を有する主体部２３があり、主体部２３の手前にＷＯリング２６を配するとともに端部に切替レバー２１を有し、またローター２０を本体１０に取り付けるためのロックねじ２７が、本体入り口に形成した雌ねじ１８と螺合するべく切替レバー２１の基部にフリー状態で嵌合され、更にリミットスイッチ１５を取り付ける取付台１９と、前記オゾン生成器渡り線３５が挿入される本体１０に明けた挿孔Ｈとは近接し、オゾン放出灯穴１４’がリミットスイッチ１５上方の本体１０に穿たれている。
【０００９】
リミットスイッチ１５がオンされると渡り線３５から発信された信号で生成器３０からのオゾンが送り管３２を通って本体１０内に送り込まれるのであって、図４（ａ）のように切替レバー２１が原位置にあるときはローター２０の凸部２８がリミットスイッチ１５と離れていて通電しないが、切替レバー２１を９０度回動することで（ｂ）図のようにローター２０に形成した凸部２８がリミットスイッチ１５と接して通電し、同時にオゾン放出灯１４も点灯する。すなわち開閉栓２をひねって蛇口１から出た上水は、切替レバー２１を９０度回動した時にオゾン水となって流出口１２より吐出される。
【００１０】
図５（ａ）はローター２０が原位置にあって普通の上水を流出口１２から吐出する状態を示すもので、この時ローター２０に明けた小孔２５は図中左側の水平位置にあるため本体１０の上水導入部１６から入った上水は流水部２４を通ってそのまゝ下部へと直進し流出口１２より吐出される。この状態から切替レバー２１を９０度回動すると、（ｂ）図のように小孔２５が本体１０の上水導入部１６と合致し、同時にオゾン流入口１３と流水部２４が合致し、リミットスイッチ１５の投入によって流入口１３からオゾンが流水部２４に送り込まれるので小孔２５から入った上水と適量処理されて混合する。かくしてオゾンは溶解して上水が流水部２４でオゾン水に変換され、本体１０下面の流出口１２からオゾン水が吐出される。オゾン水の吐出時にはオゾン放出灯１４が点灯するので上水量とオゾン水量とを間違うことはない。
【００１１】
【発明の効果】
本発明は、シリンダー形本体の内部にローターを組み込み、このローターを端部の切替レバーを操作するだけで上水をオゾン水に変換でき、あたかも通常の浄水器のように手軽に取り扱うことで殺菌、脱臭、漂白、鮮度保持・野菜果物の農薬分解除去に著効を発揮し、家庭内は勿論、会社、学校、料理店などで広く活用できる。
【００１２】
オゾン生成器を本体とは別置きにすることでその分軽量とすることができ、重みで取付部が前傾状となることが避けられて正しく放水され、見栄えもよい。
【００１３】
切替レバーの操作で上水が瞬時にオゾン水となって放出され、オゾン放出時は放出灯が点灯することで上水とは明確に区別できる。オゾン放出時に上水はローターの小孔からオゾン処理可能な水量を取り入れるので全きオゾン水が得られ、しかも所望時間オゾン水が放出されるので、従来のようにオゾン放出をレバーの操作で断続的に行うといった煩わしさがない。
【００１４】
シリンダー形本体とローターは構造簡単で成型も容易であり、複雑な工程を経ることなく得られると共に、組み立てにも手間がかゝらないので、安価量産に好適する実益がある。
【図面の簡単な説明】
【図１】本発明の取り付け状態を示す斜視図である。
【図２】本発明を分解した斜視図である。
【図３】組み立て状態の断面図である。
【図４】（ａ）リミットスイッチ投入前の説明図、（ｂ）は投入時の説明図である。
【図５】本体とローターの関係性を示すもので、（ａ）は上水の流出、（ｂ）はオゾン水の流出状態を示す説明図である。
【符号の説明】
１　蛇口
１０　本体
１２　流出口
１３　オゾン流入口
１４　オゾン放出灯
１５　リミットスイッチ
１６　上水導入部
２０　ローター
２１　切替レバー
２４　流水部
２５　小孔
３０　オゾン生成器
３２　オゾン送り管
【図１】
2004084445.tif 000003
【図２】
2004084445.tif 000004
【図３】
2004084445.tif 000005
【図４】
2004084445.tif 000006
【図５】
2004084445.tif 000007